(57)【要約】本発明は、ＡＴＰ等の高エネルギー結合化合物の持つ化学的・生化学的活性等を蒸気、液体又は固体表面に持たせることが可能な蒸気、液体又は固体表面の活性化処理方法を提供することを目的とするものであって、容器（４０）内に水（４１）を入れ（Ｓ２０）、オゾン接触手段（５０）により水（４１）にオゾンを接触させ（Ｓ２２）、容器（４０）を空間（１１）に配設して水（４１）及び容器（４０）を磁界遮蔽手段（１０）により外部の磁界から遮蔽し（Ｓ２３）、水（４１）及び容器（４０）を一定温度に保ち（Ｓ２４）、磁界印加手段（３０）により空間（１１）に交流磁界を発生させ（Ｓ２５）、光照射手段２０により空間（１１）に可視光を供給し（Ｓ２６）、磁界遮蔽手段（１０）外部の磁界から遮蔽し、容器（４０）及び水（４１）を一定温度に保ち、さらに容器（４０）及び水（４１）に交流磁界を印加し、光を照射してから３０分以上の経過を待ち、容器（４０）内表面の水（４１）を抽出し（Ｓ２７）、容器（４０）内の水を除去する（Ｓ２８）。
2007148408.tif 000002
【特許請求の範囲】
【請求項１】
容器に入れられた蒸気又は液体にオゾンを接触させ、
前記オゾンと接触する蒸気又は液体と前記容器とに交流磁界を印加する
ことを特徴とする蒸気又は液体の活性化処理方法。
【請求項２】
前記蒸気又は液体と前記容器とに印加する交流磁界の周波数は、０．０１ヘルツ〜１メガヘルツである
ことを特徴とする請求項１に記載の蒸気又は液体の活性化処理方法。
【請求項３】
前記蒸気又は液体と前記容器とに印加する交流磁界の強度は、０．１ミリガウス〜１００ガウスである
ことを特徴とする請求項２に記載の蒸気又は液体の活性化処理方法。
【請求項４】
前記交流磁界を印加してから所定の時間が経過するのを待って前記容器内表面の前記蒸気又は液体を抽出する
ことを特徴とする請求項３に記載の蒸気又は液体の活性化処理方法。
【請求項５】
前記所定の時間は、３０分以上である
ことを特徴とする請求項４に記載の蒸気又は液体の活性化処理方法。
【請求項６】
外部磁界が遮蔽された遮蔽容器内で、前記蒸気又は液体と前記容器の温度を一定に保ち、かつ前記蒸気又は液体と前記容器とに光を照射した状態で前記交流磁界を印加する
ことを特徴とする請求項５に記載の蒸気又は液体の活性化処理方法。
【請求項７】
前記蒸気又は液体と前記容器との温度を２０℃〜６０℃に調節する
ことを特徴とする請求項６に記載の蒸気又は液体の活性化処理方法。
【請求項８】
前記蒸気又は液体と前記容器とに照射する光は、光量が５００ルクス〜１０万ルクスの可視光である
ことを特徴とする請求項７に記載の蒸気又は液体の活性化処理方法。
【請求項９】
固体表面を蒸気又は液体で覆い、
前記蒸気又は液体にオゾンを接触させ、
前記オゾンと接触する蒸気又は液体と前記固体とに交流磁界を印加する
ことを特徴とする固体表面の活性化処理方法。
【請求項１０】
前記蒸気又は液体と前記固体とに印加する交流磁界の周波数は、０．０１ヘルツ〜１メガヘルツである
ことを特徴とする請求項９に記載の固体表面の活性化処理方法。
【請求項１１】
前記蒸気又は液体と前記固体とに印加する交流磁界の強度は、０．１ミリガウス〜１００ガウスである
ことを特徴とする請求項１０に記載の固体表面の活性化処理方法。
【請求項１２】
前記交流磁界を印加してから所定の時間が経過するのを待って前記固体表面から前記蒸気又は液体を除去する
ことを特徴とする請求項１１に記載の固体表面の活性化処理方法。
【請求項１３】
前記所定の時間は、３０分以上である
ことを特徴とする請求項１２に記載の固体表面の活性化処理方法。
【請求項１４】
外部磁界が遮蔽された遮蔽容器内で、前記蒸気又は液体と前記固体の温度を一定に保ち、かつ前記蒸気又は液体と前記固体とに光を照射した状態で前記交流磁界を印加する
ことを特徴とする請求項１３に記載の固体表面の活性化処理方法。
【請求項１５】
前記蒸気又は液体と前記固体との温度を２０℃〜６０℃に調節する
ことを特徴とする請求項１４に記載の固体表面の活性化処理方法。
【請求項１６】
前記蒸気又は液体と前記固体とに照射する光は、光量が５００ルクス〜１０万ルクスの可視光である
ことを特徴とする請求項１５に記載の固体表面の活性化処理方法。
【請求項１７】
蒸気又は液体と固体表面とを活性化処理する装置であって、
前記蒸気又は液体にオゾンを接触させるオゾン接触手段と、
前記蒸気又は液体と前記固体とに交流磁界を印加する磁界印加手段とを含む
ことを特徴とする活性化処理装置。
【請求項１８】
前記磁界印加手段は、０．０１ヘルツ〜１メガヘルツの周波数の交流磁界を前記蒸気又は液体と前記固体とに印加する
ことを特徴とする請求項１７に記載の活性化処理装置。
【請求項１９】
前記磁界印加手段は、０．１ミリガウス〜１００ガウスの強度の交流磁界を前記蒸気又は液体と前記固体とに印加する
ことを特徴とする請求項１８に記載の活性化処理装置。
【請求項２０】
前記活性化処理装置は、さらに、
前記蒸気又は液体と前記固体とを取り囲み、外部磁界から遮蔽する磁界遮蔽手段と、
前記磁界遮蔽手段で取り囲まれた空間に配設され、前記蒸気又は液体と前記固体とを一定の温度に保つ温度調節手段と、
前記蒸気又は液体と前記固体とに光を照射する光照射手段とを含む
ことを特徴とする請求項１９に記載の活性化処理装置。
【請求項２１】
前記磁界遮蔽手段は、強磁性体から構成される容器である
ことを特徴とする請求項２０に記載の活性化処理装置。
【請求項２２】
前記温度調節手段は、前記蒸気又は液体と前記固体との温度を２０℃〜６０℃に調節する
ことを特徴とする請求項２１に記載の活性化処理装置。
【請求項２３】
前記光照射手段は、光量が５００ルクス〜１０万ルクスの可視光を前記蒸気又は液体と前記固体とに照射する
ことを特徴とする請求項２２に記載の活性化処理装置。
【請求項２４】
請求項１に記載の蒸気又は液体の活性化処理方法を用いて活性化処理されたことを特徴とする蒸気又は液体。
【請求項２５】
請求項９に記載の固体表面の活性化処理方法を用いて表面活性化処理されたことを特徴とする固体。
【発明の詳細な説明】
【技術分野】
【０００１】
本発明は、蒸気、液体又は固体表面の活性化処理方法に関し、特に生化学的反応及び化学反応（特に、水溶液中での化学反応）ならびに各種分子の重合・結晶化・自己組織化、あるいは各種物質・構造物・細胞等の自己組織化の促進等、又は生命体、すなわち細胞、組織、臓器、動植物において生体エネルギーを要する生化学的、生物学的応答や機能ならびに水に溶けた酸素の利用能を促進する機能、また生命体すなわち細胞・組織・臓器・生体の機能を保存・回復・増強する活性、特に免疫力の活性化、組織再生、機能回復、動植物の成長促進、生け花、植物、動物や人の臓器・組織・細胞等の保存、及び創傷治癒を促進する活性等の各種機能を新たに蒸気、液体又は固体表面に持たせる活性化処理方法に関するものであって、かつ固体表面を超親水化させる固体表面の親水化処理方法に関する。
【背景技術】
【０００２】
従来、磁界や光等を用いて液体、蒸気及び固体等の物質に新たな機能を持たせることが行われている。例えば、磁界や光を用いて液体としての水に新たな機能を持たせる技術としては、特許文献１あるいは特許文献２に記載の技術がある。【０００３】
また、光を用いて固体表面に新たな機能を持たせる技術としては、光触媒をはじめとして特許文献３等に記載の技術がある。【０００４】
さらに、光を用いて固体表面を親水化する技術としては、光触媒をはじめとして特許文献４等に記載の技術がある。【０００５】
特許文献１に記載の技術では、水に可視光を照射することで、特定の活性あるいは機能を水に持たせている。例えば、水に赤色光を照射することで、動植物の成長を促進させる機能を水に持たせている。【０００６】
また、特許文献２に記載の技術では、磁気処理と併用して水に遠赤外線を照射することにより、化学反応を促進させたり、食品の腐敗を防止させたりする機能を水に持たせている。【０００７】
さらに、特許文献３等に記載の技術では、固体表面に光触媒コーティングを施し、その表面に光を照射することで、空気中の有機物を分解する活性酸素及びＯＨラジカルを発生させて固体に防汚、消臭及び抗菌等の機能を持たせている。【０００８】
さらにまた、特許文献４等に記載の技術では、固体表面に光触媒コーティングを施し、その表面に光を照射することで、固体表面を親水性の状態に変化させて固体に防曇の機能を持たせている。
【特許文献１】特開平２−２１１２８８号公報
【特許文献２】特開２００２−２４８４７０号公報
【特許文献３】特開２００３−３２０２５７号公報
【特許文献４】特開２００３−１０６９６号公報
【発明の開示】
【発明が解決しようとする課題】
【０００９】
ところで、呼吸、発酵及び光合成におけるリン酸化反応によって生成されるアデノシン三リン酸（以下、ＡＴＰという）を筆頭とする高エネルギー結合を有する化合物は、生物の細胞中に必ず存在し、生体反応、特にエネルギー代謝には不可欠であり、すべての生命活動をつかさどる重要な化学物質である。また、酸素は生物の呼吸に必須であるばかりでなく様々な重要な代謝にも関わっている。しかしながら、従来の磁界や光を用いて物質に新たな機能を持たせる技術では、ＡＴＰをはじめとする高エネルギー結合化合物の持つ化学的・生化学的活性や酸素（Ｏ）の化学的・生化学的・生物学的利用効率を高める機能を物質に持たせることができない。【００１０】
また、従来の磁界や光を用いて物質に新たな機能を持たせる技術では、簡便に再現性良く物質に新たな機能を持たせることができないため、そのような機能を持たせた物質を用いても、一定の効果を確実に得ることができない。【００１１】
さらに、白血球（好中球）は、貪食能を有し、細菌感染、炎症あるいはガン等の人疾患の病因となる病原生命体の取り込みを行う。しかしながら、従来の磁界や光を用いて物質に新たな機能を持たせる技術では、白血球の貪食能を向上させる機能を再現性良く物質に持たせることができない。【００１２】
そこで、本発明は、かかる問題点に鑑み、ＡＴＰ等の高エネルギー結合を有する化合物の持つ化学的・生化学的活性や酸素（Ｏ）の化学的・生化学的・生物学的利用効率を高める機能を蒸気、液体又は固体表面に持たせることが可能な蒸気、液体又は固体表面の活性化処理方法を提供することを第１の目的とする。【００１３】
また、再現性良く蒸気、液体又は固体表面に新たな機能を持たせることが可能な蒸気、液体又は固体表面の活性化処理方法を提供することを第２の目的とする。【００１４】
また、白血球の貪食能を向上させる機能等を蒸気、液体又は固体に持たせることが可能な蒸気、液体又は固体表面の活性化処理方法を提供することを第３の目的とする。【００１５】
また、発芽を促進させる機能等を蒸気、液体又は固体に持たせることが可能な蒸気、液体又は固体表面の活性化処理方法を提供することを第４の目的とする。【００１６】
また、組織の機能を保存させる機能等を蒸気、液体又は固体に持たせることが可能な蒸気、液体又は固体表面の活性化処理方法を提供することを第５の目的とする。
【課題を解決するための手段】
【００１７】
本発明者らは、上記状況に鑑み、白血球の貪食能を向上させる機能等を水に持たせる技術として、水に交流磁界を印加する技術（例えば特開２００３−８８５９２号、特開２００３−８８８７３号、特開２００３−２３０８８７号及び特開２００３−３０２３７７号に記載の技術）を既に提案している。しかしながら、上記技術では、ＡＴＰ等の高エネルギー結合を有する化合物の持つ化学的・生化学的活性や酸素（Ｏ）の化学的・生化学的・生物学的利用効率を高める機能等を再現性良く十分に水に持たせることができない。【００１８】
以上の知見に基づき、本発明者らは物質の活性化処理方法における活性化処理条件について精査し、従来全く不明であった交流磁界以外の他の条件の影響、すなわち物質の活性化処理における交流磁界とオゾンとの協調効果をはじめて解明して本発明に至った。上記目的を達成するために、本発明の蒸気又は液体の活性化処理方法は、容器に入れられた蒸気又は液体にオゾンを接触させ、前記オゾンと接触する蒸気又は液体と前記容器とに交流磁界を印加することを特徴とする。このとき、前記蒸気又は液体と前記容器とに印加する交流磁界の周波数は、０．０１ヘルツ〜１メガヘルツであってもよいし、前記蒸気又は液体と前記容器とに印加する交流磁界の強度は、０．１ミリガウス〜１００ガウスであってもよい。【００１９】
これによって、ＡＴＰ等の高エネルギー結合化合物の持つ化学的・生化学的活性や酸素（Ｏ）の化学的・生化学的・生物学的利用効率を高める機能、白血球の貪食能を向上させる機能、発芽を促進させる機能及び組織の機能を保存させる機能を蒸気又は液体に持たせることができる。また、蒸気又は液体をオゾンと接触させ、その蒸気又は液体と容器とに交流磁界を印加するだけで、ＡＴＰ等の高エネルギー結合化合物の持つ化学的・生化学的活性や酸素（Ｏ）の化学的・生化学的・生物学的利用効率を高める機能等を蒸気又は液体に持たせることができるので、ＡＴＰ等の高エネルギー結合化合物の持つ化学的・生化学的活性や酸素（Ｏ）の化学的・生化学的・生物学的利用効率を高める機能等を簡易な人工的方法で蒸気又は液体に持たせることができる。よって、ＡＴＰ等の高エネルギー結合化合物の持つ化学的・生化学的活性や酸素（Ｏ）の化学的・生化学的・生物学的利用効率を高める機能等を再現性良く蒸気又は液体に持たせることができる。【００２０】
また、前記交流磁界を印加してから所定の時間が経過するのを待って前記容器内の前記蒸気又は液体を抽出してもよい。このとき、前記所定の時間は、３０分以上であってもよい。【００２１】
これによって、３０分以上の間、活性化処理を行うので、ＡＴＰ等の高エネルギー結合化合物の持つ化学的・生化学的活性や酸素（Ｏ）の化学的・生化学的・生物学的利用効率を高める機能等を十分に水及び容器に持たせることができる。【００２２】
また、外部磁界が遮蔽された遮蔽容器内で、前記蒸気又は液体と前記容器の温度を一定に保ち、かつ前記蒸気又は液体と前記容器とに光を照射した状態で前記交流磁界を印加してもよい。このとき、前記蒸気又は液体と前記容器との温度を２０℃〜６０℃に調節してもよい。また、前記蒸気又は液体と前記容器とに照射する光は、光量が５００ルクス〜１０万ルクスの可視光であってもよい。【００２３】
これによって、磁界及び温度が制御された空間で、光及び磁界を用いて蒸気又は液体を活性化処理するので、ＡＴＰ等の高エネルギー結合化合物の持つ化学的・生化学的活性や酸素（Ｏ）の化学的・生化学的・生物学的利用効率を高める機能等を効率良く蒸気又は液体に持たせることができる。【００２４】
また、本発明は、固体表面を蒸気又は液体で覆い、前記蒸気又は液体にオゾンを接触させ、前記オゾンと接触する蒸気又は液体と前記固体とに交流磁界を印加することを特徴とする固体表面の活性化処理方法とすることもできる。このとき、前記蒸気又は液体と前記固体とに印加する交流磁界の周波数は、０．０１ヘルツ〜１メガヘルツであってもよいし、前記蒸気又は液体と前記固体とに印加する交流磁界の強度は、０．１ミリガウス〜１００ガウスであってもよい。【００２５】
これによって、ＡＴＰ等の高エネルギー結合化合物の持つ化学的・生化学的活性や酸素（Ｏ）の化学的・生化学的・生物学的利用効率を高める機能等を固体表面に持たせることができる。さらに、蒸気又は液体をオゾンと接触させ、その蒸気又は液体と固体とに交流磁界を印加するだけで、ＡＴＰ等の高エネルギー結合化合物の持つ化学的・生化学的活性や酸素（Ｏ）の化学的・生化学的・生物学的利用効率を高める機能等を固体表面に持たせることができるので、ＡＴＰ等の高エネルギー結合化合物の持つ化学的・生化学的活性や酸素（Ｏ）の化学的・生化学的・生物学的利用効率を高める機能を簡易な人工的方法で固体表面に持たせることができる。よって、ＡＴＰ等の高エネルギー結合化合物の持つ化学的・生化学的活性や酸素（Ｏ）の化学的・生化学的・生物学的利用効率を高める機能等を再現性良く固体表面に持たせることができる。【００２６】
ここで、前記交流磁界を印加してから所定の時間が経過するのを待って前記固体表面から前記蒸気又は液体を除去してもよい。このとき、前記所定の時間は、３０分以上であってもよい。【００２７】
これによって、３０分以上の間、活性化処理を行うので、ＡＴＰ等の高エネルギー結合化合物の持つ化学的・生化学的活性や酸素（Ｏ）の化学的・生化学的・生物学的利用効率を高める機能等を十分に固体表面に持たせることができる。【００２８】
また、外部磁界が遮蔽された遮蔽容器内で、前記蒸気又は液体と前記固体の温度を一定に保ち、かつ前記蒸気又は液体と前記固体とに光を照射した状態で前記交流磁界を印加してもよい。このとき、前記蒸気又は液体と前記固体との温度を２０℃〜６０℃に調節してもよい。また、前記蒸気又は液体と前記固体とに照射する光は、光量が５００ルクス〜１０万ルクスの可視光であってもよい。【００２９】
これによって、磁界及び温度が制御された空間で、光及び磁界を用いて蒸気又は液体を活性化処理するので、ＡＴＰ等の高エネルギー結合化合物の持つ化学的・生化学的活性や酸素（Ｏ）の化学的・生化学的・生物学的利用効率を高める機能等を効率良く固体表面に持たせることができる。【００３０】
また、本発明は、蒸気又は液体と固体表面とを活性化処理する装置であって、前記蒸気又は液体にオゾンを接触させるオゾン接触手段と、前記蒸気又は液体と前記固体とに交流磁界を印加する磁界印加手段とを含むことを特徴とする活性化処理装置とすることもできる。このとき、前記磁界印加手段は、０．０１ヘルツ〜１メガヘルツの周波数の交流磁界を前記蒸気又は液体と前記固体とに印加してもよいし、前記磁界印加手段は、０．１ミリガウス〜１００ガウスの強度の交流磁界を前記蒸気又は液体と前記固体とに印加してもよい。【００３１】
これによって、ＡＴＰ等の高エネルギー結合化合物の持つ化学的・生化学的活性や酸素（Ｏ）の化学的・生化学的・生物学的利用効率を高める機能等を蒸気又は液体と固体表面とに同時に持たせることができる。さらに、ＡＴＰ等の高エネルギー結合化合物の持つ化学的・生化学的活性や酸素（Ｏ）の化学的・生化学的・生物学的利用効率を高める機能等を簡易な人工的方法で蒸気又は液体と固体表面とに同時に持たせることができる。よって、ＡＴＰ等の高エネルギー結合化合物の持つ化学的・生化学的活性や酸素（Ｏ）の化学的・生化学的・生物学的利用効率を高める機能等を再現性良く蒸気又は液体と固体表面とに同時に持たせることができる。【００３２】
ここで、前記活性化処理装置は、さらに、前記蒸気又は液体と前記固体とを取り囲み、外部磁界から遮蔽する磁界遮蔽手段と、前記磁界遮蔽手段で取り囲まれた空間に配設され、前記蒸気又は液体と前記固体とを一定の温度に保つ温度調節手段と、前記蒸気又は液体と前記固体とに光を照射する光照射手段とを含んでもよい。このとき、前記磁界遮蔽手段は、強磁性体から構成される容器であってもよい。また、前記温度調節手段は、前記蒸気又は液体と前記固体との温度を２０℃〜６０℃に調節してもよい。【００３３】
これによって、磁界及び温度が制御された空間で、光及び磁界を用いて蒸気又は液体を活性化処理するので、ＡＴＰ等の高エネルギー結合化合物の持つ化学的・生化学的活性や酸素（Ｏ）の化学的・生化学的・生物学的利用効率を高める機能等を効率良く蒸気又は液体と固体表面とに同時に持たせることができる。
【発明の効果】
【００３４】
本発明に係る蒸気、液体又は固体表面の活性化処理方法によれば、特定の低周波・微弱交流磁界を、光の存在のもとに、蒸気又は液体と固体表面とに印加することによって、再現性良く、例えば水をはじめとする水素結合をネットワークとした水分子クラスターにおいてプロトン共鳴現象が起こり（例えば、Ｋ．Ｍｏｈｒｉ，Ｍ．Ｆｕｋｕｓｈｉｍａ，“Ｇｒａｄｕａｌ  Ｄｅｃｒｅａｓｉｎｇ  Ｃｈａｒａｃｔｅｒｉｓｔｉｃｓ  ａｎｄ  Ｔｅｍｐｅｒａｔｕｒｅ  Ｓｔａｂｉｌｉｔｙ  ｏｆ  Ｅｌｅｃｔｒｉｃ  Ｒｅｓｉｓｔｉｖｉｔｙ  ｉｎ  Ｗａｔｅｒ  Ｔｒｉｇｇｅｒｅｄ  ｗｉｔｈ  Ｍｉｌｌｉｇａｕｓｓ  ＡＣ  Ｆｉｅｌｄ，“ＩＥＥＥ  Ｔｒａｎｓ．Ｍａｇｎ，Ｖｏｌ．３８，Ｎｏ．５，ｐｐ．３３５３−３３５５，２００２、Ｋ．Ｍｏｈｒｉ，Ｍ．Ｆｕｋｕｓｈｉｍａ，“Ｍｉｌｌｉｇａｕｓｓ  Ｍａｇｎｅｔｉｃ  Ｆｉｅｌｄ  Ｔｒｉｇｇｅｒｅｄ  Ｒｅｌｉａｂｌｅ  Ｓｅｌｆ−Ｏｒｇａｎｉｚａｔｉｏｎ  ｏｆ  Ｗａｔｅｒ  ｗｉｔｈ  Ｌｏｎｇ−Ｒａｎｇｅ  Ｏｒｄｅｒｅｄ  Ｐｒｏｔｏｎ  Ｔｒａｎｓｐｏｒｔ  Ｔｈｒｏｕｇｈ  Ｃｙｃｌｏｔｒｏｎ  Ｒｅｓｏｎａｎｃｅ，“ＩＥＥＥ  Ｔｒａｎｓ．Ｍａｇｎ，Ｖｏｌ．３９，Ｎｏ．５，ｐｐ．３３２８−３３３０，２００３、及びＭ．Ｆｕｋｕｓｈｉｍａ，“Ｍｉｌｌｉｇａｕｓｓ  Ｍａｇｎｅｔｉｃ  Ｆｉｅｌｄ  Ａｐｐｌｉｅｄ  Ｐｕｒｅ  Ｗａｔｅｒ  Ｅｘｅｒｔ  Ｆｉｒｅｆｌｙ  Ｌｕｃｉｆｅｒｉｎ−Ｌｕｃｉｆｅｒａｓｅ  Ｌｕｍｉｎｅｓｃｅｎｃｅ  ａｎｄ  Ｉｎｄｕｃｅ  Ｉｎｔｒａｃｅｌｌｕｌａｒ  Ｃａｌｃｉｕｍ  Ｅｌｅｖａｔｉｏｎ  ｏｆ  ＣＨＯ  Ｃｅｌｌｓ  Ｗｉｔｈｏｕｔ  ＡＴＰ，“ＩＥＥＥ  Ｔｒａｎｓ．Ｍａｇｎ，Ｖｏｌ．４１，Ｎｏ．１０，ｐｐ．４１８８−４１９０，２００５参照）、ＡＴＰのリン酸エステル結合等の高エネルギー結合に蓄えられるのと同様な、生体分子、タンパク質、細胞に極めて利用されやすい自由エネルギーが蒸気又は液体クラスター分子中に蓄えられるので、活性化処理された蒸気、液体又は固体表面は、ＡＴＰ等の生体高エネルギー結合化合物の持つ化学的・生化学的活性や酸素（Ｏ）の化学的・生化学的・生物学的利用効率を高める機能を代替できるようになる。つまり、これまで全く知られていなかった物理・化学的原理に基づいて、ＡＴＰ等の高エネルギー結合化合物や酸素等の持つ化学的・生化学的活性や酸素（Ｏ）の化学的・生化学的・生物学的利用効率を高める機能を簡易な人工的方法で蒸気、液体又は固体表面に持たせることができる。よって、ＡＴＰ等の高エネルギー結合化合物が関与して起こる化学反応を非生物系で簡易に実現することが可能となる。すなわち、本発明は水素結合で自己集合したプロトン性ネットワーク構造の生成と効率の良い電子交換あるいはエネルギー移動を起こす長寿命の励起状態とを示す系を実現することを可能にする全く新しい分子プロトニクス技術である。【００３５】
なお、蒸気、液体又は固体表面には、酸素分子が存在しており、多くの化学反応、生化学反応及び生体反応において必須の分子として利用され、様々な重要な機能の発現を可能にしているが、上述の如く本発明に係る蒸気、液体又は固体表面の活性化処理方法によれば、特定の低周波、微弱交流磁界を光の存在の下に、蒸気又は液体と固体表面とに印加することにより、再現性良く水をはじめとする水素結合をネットワークとした水分子クラスターにおいて、プロトン共鳴現象が起こり、エネルギー移動で溶存Ｏ２分子が他の分子との反応に極めて利用されやすい状態をとるようになる。つまり、これまで全く知られていなかった物理・化学的原理に基づいて蒸気、液体又は固体表面に存在するＯ２分子の利用効率を簡便な方法で高めて、Ｏ２が関わる化学反応、生化学反応及び生体反応を促進することを可能とする。【００３６】
また、ＡＴＰ等の高エネルギー結合化合物の持つ化学的・生化学的活性や酸素（Ｏ）の化学的・生化学的・生物学的利用効率を高める機能等を再現性良く蒸気、液体又は固体に持たせることができる。よって、活性化処理された蒸気、液体又は固体表面を用いることで、人体における生体防御機能を増大させることをはじめ、人疾患に対する新たな治療方法をもたらすことが可能となる。【００３７】
よって、本発明により、生命の維持に不可欠であるＡＴＰ等の高エネルギー結合化合物の持つ化学的・生化学的活性や酸素（Ｏ）の化学的・生化学的・生物学的利用効率を高める機能を蒸気、液体又は固体表面に持たせることが可能な蒸気、液体又は固体表面の活性化処理方法を提供することが可能となり、実用的価値は極めて高い。
【図面の簡単な説明】
【００３８】
【図１】本発明の実施の形態の活性化処理装置の概略構成図である。
【図２】同実施の形態の活性化処理装置による水及び容器内表面の活性化処理の工程を示すフローチャートである。
【図３】ルシフェリン−ルシフェラーゼ反応における発光量の測定結果を示す図である。
【図４】ルシフェリン−ルシフェラーゼ反応における発光量の測定結果を示す図である。
【図５】ルシフェリン−ルシフェラーゼ反応における発光量の測定結果を示す図である。
【図６】かすみ草の発芽状態を示す図である。
【図７】カイワレの状態を示す図である。
【図８】固体表面におけるルシフェリン−ルシフェラーゼ反応における発光を示す図である。
【図９】（ａ）同実施の形態の活性化処理装置により活性化処理される板の外観図である。（ｂ）同実施の形態の活性化処理装置により活性化処理される筒体の外観図である。（ｃ）同実施の形態の活性化処理装置により活性化処理される球体の外観図である。（ｄ）同実施の形態の活性化処理装置により活性化処理される球体の断面図である。
【符号の説明】
【００３９】
１０  磁界遮蔽手段
１１  空間
２０  光照射手段
３０  磁界印加手段
４０  容器
４１  水
５０  オゾン接触手段
５１  酸素供給装置
５２、５４  配管
５３  オゾン発生装置
８０  板
８１、８５  表面
８２  筒体
８３  内部表面
８４  球体
【発明を実施するための最良の形態】
【００４０】
以下、本発明の実施の形態における液体又は固体表面の活性化処理方法について、図面を参照しながら説明する。【００４１】
（第１の実施の形態）
図１は、本実施の形態の活性化処理装置の概略構成図である。この活性化処理装置は、液体としての水の活性化処理、固体表面としての容器内の表面の活性化処理を行う装置であって、磁界遮蔽手段１０と、光照射手段２０と、磁界印加手段３０と、容器４０と、オゾン接触手段５０とから構成される。【００４２】
磁界遮蔽手段１０は、例えばパーマロイ等の強磁性体から構成された遮蔽容器であり、地磁気及び電気製品からの磁気等の外部の磁気が数ｍＧ程度まで（例えば、地磁気が２〜３ｍＧ程度になるまで）遮蔽された空間１１を内部につくりだす。ここで、空間１１の温度は、温度調節器等の温度調節手段（図外）により調節される。【００４３】
光照射手段２０は、光ファイバー等であり、光量が５００〜１０万ルクスの可視光を空間１１に供給する。【００４４】
磁界印加手段３０は、空間１１に配設された例えばヘルムホルツコイル等であり、空間１１に０．０１Ｈｚ〜１ＭＨｚの低周波数の交流磁界を発生させる。このとき、磁界印加手段３０が発生させる磁界は、０．１ｍＧ〜１００Ｇの強度の低磁界である。【００４５】
容器４０は、例えばガラスあるいはプラスチック等の非磁性体材料から構成された固形の容器、例えば試験管、遠心管、ビーカ、ボトルあるいはコップであり、磁界遮蔽手段１０で取り囲まれるように空間１１に配設され、内部に活性化処理される水４１を保持する。【００４６】
オゾン接触手段５０は、酸素供給装置５１と、酸素供給装置５１の酸素をオゾン発生装置５３内に導く配管５２と、オゾンを発生させるオゾン発生装置５３と、オゾン発生装置５３のオゾンを容器４０内に導く配管５４とから構成される。オゾン接触手段５０は、容器４０内部の活性化処理される水４１にオゾンを接触させる。酸素供給装置５１としては、例えば酸素ボンベ等が用いられ、オゾン発生装置５３としては、例えば酸素に紫外線を照射してオゾンを発生させるオゾナイザー（オゾンシーナイン社製、ＯＺ−５）等が用いられる。【００４７】
図２は、図１に示される活性化処理装置による水及び容器内表面の活性化処理の工程を示すフローチャートである。【００４８】
まず、容器４０内表面が例えば水道水、イオン交換水、蒸留水及び超純水等の水、又は生理的食塩水及びリン酸バッファ液ー（ＰＢＳ）等の水溶液（以下、単に水という）４１で浸されるように、容器４０内に水４１を入れる（ステップＳ２０）。このとき、水４１は高い酸素濃度を有することが好ましい。例えば５０ｍｌの遠心管が容器４０として用いられた場合には、４ｍｌの超純水が入れられる。【００４９】
次に、酸素供給装置５１からオゾン発生装置５３に酸素を供給した後、オゾン発生装置５３によりオゾンを発生させる（ステップＳ２１）。例えば、２Ｌ／ｍの速度でオゾン発生装置５３に酸素を供給し、オゾン発生装置５３により３０ｍｇ／ｈ程度のオゾンを発生させる。【００５０】
次に、容器４０内へのオゾンの供給を開始し、水４１とオゾンとを接触させる。その後、オゾンの供給開始から所定時間が経過するのを待って、オゾンの供給を停止する（ステップＳ２２）。例えば容器４０として５０ｍｌの遠心管が用いられた場合には、容器４０へのオゾンの供給は、遠心管の蓋に設けられた直径１ｍｍの穴に挿入された配管５４としてのチューブを介して３０分間行われる。【００５１】
次に、容器４０から配管５４を取り外した後、容器４０に蓋をして容器４０の内部を外部の空気と隔離する。その後、水４１が入れられた容器４０を空間１１に配設し、水４１及び容器４０を磁界遮蔽手段１０外部の磁界から遮蔽する（ステップＳ２３）。【００５２】
次に、温度調節手段により空間１１の温度を調節して、水４１及び容器４０を２０℃〜６０℃、より好ましくは４０℃の一定温度に保つ（ステップＳ２４）。【００５３】
次に、容器４０及び水４１に０．０１Ｈｚ〜１ＭＨｚの周波数、０．１ｍＧ〜１００Ｇの強度の交流磁界が印加されるように、磁界印加手段３０により空間１１に交流磁界を発生させる（ステップＳ２５）。【００５４】
次に、容器４０及び水４１に可視光が照射されるように、光照射手段２０により空間１１に可視光を供給する（ステップＳ２６）。【００５５】
なお、ステップＳ２４、Ｓ２５、Ｓ２６で示される工程は、同時に又は異なる順序でおこなわれてもよい。すなわち、ステップＳ２４、Ｓ２６、Ｓ２５の順、ステップＳ２５、Ｓ２６、Ｓ２４の順、ステップＳ２５、Ｓ２４、Ｓ２６の順、ステップＳ２６、Ｓ２４、Ｓ２５の順、あるいはステップＳ２６、Ｓ２５、Ｓ２４の順に水の活性化処理がおこなわれてもよい。【００５６】
次に、容器４０及び水４１を磁界遮蔽手段１０外部の磁界から遮蔽し、一定温度に保ち、さらに容器４０及び水４１に交流磁界を印加し、可視光を照射してから３０分以上、例えば２時間の経過を待って、容器４０内表面の水４１を抽出する（ステップＳ２７）。【００５７】
最後に、容器４０表面から水が無くなるように、容器４０内の水を除去する（ステップＳ２８）。【００５８】
このようにして活性化処理された水の機能について以下に説明する。【００５９】
図３〜６は、ルシフェリン−ルシフェラーゼ反応における発光量の測定結果を示す図である。具体的には、異なる条件下で活性化処理された水を２０μｌだけ滅菌されたカバーガラスに落として液滴をつくり、そこにルシフェリン−ルシフェラーゼ溶液（キッコーマン社製  細菌検出キットルシフェール３００）の調整液を２０μｌ滴下した場合において、２次元発光検出システム（浜松ホトニクス社製  テーパーファイバーＶＩＭシステム）により検出される２分間の発光量を示す図である。【００６０】
図３〜４は、活性化処理の効果及び活性化処理における光、温度及び磁場の影響を示す図である。ここで、図３（ａ）において、Ｓａｍｐｌｅ−１〜２は、外部の磁気が２〜３ｍＧ程度まで遮蔽された３７℃の空間内で、水に交流磁界を印加せず、可視光を照射し、オゾンを接触させた状態で２時間活性化処理した水を添加して反応させた場合の発光量である。図３（ｂ）において、Ｓａｍｐｌｅ−１〜２は、外部の磁気が２〜３ｍＧ程度まで遮蔽された温度制御されていない空間内で、水に６Ｈｚ、１０ｍＧの交流磁界を印加し、可視光を照射し、オゾンを接触させた状態で２時間活性化処理した水を添加して反応させた場合の発光量である。図３（ｃ）において、Ｓａｍｐｌｅ−１〜２は、外部の磁気が遮蔽されていない３７℃の空間内で、水に６Ｈｚ、１０ｍＧの交流磁界を印加し、可視光を照射し、オゾンを接触させた状態で２時間活性化処理した水を添加して反応させた場合の発光量である。図３（ｄ）において、Ｓａｍｐｌｅ−１〜２は、外部の磁気が２〜３ｍＧ程度まで遮蔽された３７℃の空間内で、水に可視光を照射せず、６Ｈｚ、１０ｍＧの交流磁界を印加し、オゾンを接触させた状態で２時間活性化処理した水を添加して反応させた場合の発光量である。図３において、Ｃｏｎｔｒｏｌは、活性化処理していない水を添加して反応させた場合の発光量である。また、図４において、「◆」は、外部の磁気が遮蔽されていない３７℃の空間内で水にオゾンを接触させた状態で活性化処理した水又はリン酸バッファー液（ＰＢＳ）を添加した場合の発光量であり、「■」は、外部の磁気が２〜３ｍＧ程度まで遮蔽された３７℃の空間内で水にオゾンを接触させた状態で活性化処理した水又ＰＢＳを添加した場合の発光量であり、「△」は、外部の磁気が２〜３ｍＧ程度まで遮蔽された３７℃の空間内で、水に６Ｈｚ、１０ｍＧの交流磁界を印加し、オゾンを接触させた状態で活性化処理した水又はＰＢＳを添加した場合の発光量である。なお、図４において、横軸は時間を示し、縦軸は発光量を示している。【００６１】
図３、４のＣｏｎｔｒｏｌとＳａｍｐｌｅとを比較することにより、活性化処理されていない水を添加してもルシフェリン−ルシフェラーゼ反応において発光は起きないが、活性化処理された水を添加すると発光が起きることがわかる。ルシフェラーゼによるルシフェリンの発光にはＡＴＰ、Ｍｇそして酸素（Ｏ２）が必須であり、以下の反応式によって蛍光を発することが知られている。【００６２】
【化１】
2007148408.tif 000003
【００６３】
そこで、上述した活性化処理した水は純水であって、ＡＴＰ、Ｍｇ＋＋はもちろんのこと添加物は一切無いものであことから、活性化処理された水は、ＡＴＰの持つ化学的・生化学的活性や酸素（Ｏ）の化学的・生化学的・生物学的利用効率を高める機能を有していることがわかる。以上のことから本発明による活性化処理された水において、水分子クラスター及び容器内側表面の界面水分子マクロクラスターは、酵素ルシフェラーゼによって一重項励起状態のオキシルシフェリンを効率良く生成するような効率の良い酸素（Ｏ）添加反応及び電子交変換ないしエネルギー移動を起こすプロトン性ネットワーク構造をとっていることがわかる。【００６４】
また、図３、４から、ルシフェリン−ルシフェラーゼ反応における発光量は、交流磁界が印加されない場合には、非常に小さくなることがわかる。よって、ＡＴＰの持つ化学的・生化学的活性や酸素（Ｏ）の化学的・生化学的・生物学的利用効率を高める機能を水に付加する場合において、交流磁界の印加及びオゾンとの接触は、不可欠な条件であることがわかる。【００６５】
図５は、活性化処理された水の性能の安定性を示す図である。ここで、図５において、Ｓａｍｐｌｅ−１〜１０は、活性化処理された直後の水を添加した場合の発光量（図５における白ヌキのグラフ）及び活性化処理されてから２４時間放置した活性化処理された水を添加した場合の発光量（図５における黒のグラフ）であり、Ｃｏｎｔｒｏｌは、活性化処理されていない水を添加した場合の発光量及び２４時間放置した活性化処理されていない水を添加した場合の発光量である。【００６６】
図５のＳａｍｐｌｅ−１〜１０より、ルシフェリン−ルシフェラーゼ反応における発光量は、処理直後の水と処理から２４時間経過した水とで大きく変化しないことがわかる。よって、活性化処理された水に付加された、ＡＴＰの持つ化学的・生化学的活性や酸素（Ｏ）の化学的・生化学的・生物学的利用効率を高める機能は、維持されることが分かる。【００６７】
以下の表１及び図６は、かすみ草の発芽状態を示している。表１において、ｃｏｎｔｒｏｌ超純水は、５０ｍｌのシャーレに種子１〜１２を配置して蓋をし、活性化処理されていない水を５ｍｌ加えて４日間放置した場合の発芽状態を示し、ＭＧ超純水は、５０ｍｌのシャーレに種子１〜１２を配置して蓋をし、活性化処理された水を５ｍｌ加えて４日間放置した場合の発芽状態を示している。なお、活性化処理は、外部の磁気が２〜３ｍＧ程度まで遮蔽された３７℃の空間内で、水に６Ｈｚ、２５０ｍＧの交流磁界を印加し、可視光を照射し、オゾンを接触させた状態で２時間活性化処理することにより行われる。【００６８】
【表１】
2007148408.tif 000004
【００６９】
表１から、活性化処理した水を使用して種子を発芽させた場合には、活性化処理していない水を使用して種子を発芽させた場合と比較して、発芽率が約２倍向上することがわかる。また、芽の長さも長くなることがわかる。よって、活性化処理は発芽を促進させる機能を水に持たせることがわかる。【００７０】
図７（ａ）、（ｂ）は、カイワレの状態を示す図である。図７（ａ）、（ｂ）において、左側のカイワレは、２ｍｌのチューブ内に活性化処理されていない水を１ｍｌ加え、チューブにカイワレをさして３日間放置した場合のカイワレの状態を示し、右側のカイワレは、２ｍｌのチューブ内に活性化処理された水を１ｍｌ加え、チューブにカイワレをさして３日間放置した場合のカイワレの状態を示している。なお、活性化処理は、外部の磁気が２〜３ｍＧ程度まで遮蔽された３７℃の空間内で、水に６Ｈｚ、２５０ｍＧの交流磁界を印加し、可視光を照射し、オゾンを接触させた状態で２時間活性化処理することにより行われる。【００７１】
図７（ａ）、（ｂ）から、活性化処理していない水が使用されたチューブにさしたカイワレは、葉が変色して茎は細くしおれているが、活性化処理された水が使用されたチューブにさしたカイワレは、３日前の状態が維持されていることがわかる。よって、活性化処理は組織の機能を保存させる機能を水に持たせることがわかる。次に、活性化処理された容器の機能について以下に説明する。【００７２】
図８は、ヒト白血球の貪食能の測定結果を示す図である。ここで、図８（ａ）、（ｂ）において、ｃｏｎｔｒｏｌは、それぞれヒト白血球が入れられた液を表面活性化処理されていない容器内に入れた場合の白血球の貪食能活性を示し、Ｓａｍｐｌｅ１〜４は、白血球が入れられた液を表面活性化処理された別々の容器Ｓａｍｐｌｅ１〜４の中に表面活性化された部分を十分に接触するように入れた場合の白血球の貪食能を示している。また、図８（ａ）、（ｂ）は、それぞれ異なる被検体の白血球の貪食能を示している。【００７３】
図８（ａ）、（ｂ）のＣｏｎｔｒｏｌとＳａｍｐｌｅ１〜４をそれぞれ比較することにより、白血球の貪食能が表面活性化処理された容器内に表面活性化処理された部分と十分に接触するように白血球を入れることで向上していることがわかる。すなわち、容器の活性化処理は、白血球の貪食能を向上させる機能を容器に持たせることがわかる。なお、白血球の貪食能の活性は、表面活性化処理された容器Ｓａｍｐｌｅ１〜４の各容器より予め抽出して活性化処理水の持つルシフェリン−ルシフェラーゼ反応より発光量に相関する。よって、活性化処理された水に付加されたＡＴＰの持つ化学的・生化学的活性が酸素（Ｏ）の化学的・生化学的・生物学的利用効率を高める機能を同活性化処理された容器にも付加させることができる。【００７４】
以下の表２、３は、ルシフェリン−ルシフェラーゼ反応における発光量の測定結果を示している。具体的には、異なる条件下で活性化処理された容器表面にルシフェリン−ルシフェラーゼ溶液（キッコーマン社製  細菌検出キットルシフェール３００）の調整液を２０μｌ滴下した場合において、２次元発光検出システム（浜松ホトニクス社製  テーパーファイバーＶＩＭシステム）により検出される２分間の発光量を示す図である。ここで、表２のＳａｍｐｌｅ−１〜１０は、外部の磁気が２〜３ｍＧ程度まで遮蔽された３７℃の空間内で、水に６Ｈｚ、１０ｍＧの交流磁界を印加し、可視光を照射し、オゾンを接触させた状態で２時間及び２４時間活性化処理した容器における発光量である。また、表３のＳａｍｐｌｅ−１〜１０は、外部の磁気が２〜３ｍＧ程度まで遮蔽された温度制御されていない容器内で、水に可視光を照射せず、６Ｈｚ、１０ｍＧの交流磁界を印加し、オゾンを接触させた状態で２時間及び２４時間活性化処理した容器における発光量である。また、表２、３において、Ｃｏｎｔｒｏｌは、活性化処理していない容器における発光量である。なお、表２のＳａｍｐｌｅ−３、４、１０及び表３のＳａｍｐｌｅ−１０は、それぞれ順に図８（ａ）、（ｂ）におけるＳａｍｐｌｅ−１〜４に相当する容器である。【００７５】
【表２】
2007148408.tif 000005
【００７６】
【表３】
2007148408.tif 000006
【００７７】
表２、３から、ルシフェリン−ルシフェラーゼ反応における発光量は、２時間活性化処理した水と２４時間活性化処理した水で大きく変わらないことがわかる。よって、２時間という短時間の活性化処理で、ＡＴＰの持つ化学的・生化学的活性や酸素（Ｏ）の化学的・生化学的・生物学的利用効率を高める機能が容器に十分に付加されることがわかる。さらに、以下の表４は外部の磁気が２〜３ｍＧ程度まで遮蔽された３７℃の空間内で純水に６Ｈｚ、２００ｍＧの交流磁界を印加し、可視光を照射し、オゾンを接触させた状態で０分、１５分、３０分、４５分、６０分、７５分間活性化処理した純水を添加した場合の発光量である。ここで、１５分間の活性化処理において既に発光量は０分間（Ｃｏｎｔｒｏｌ）のものに比して倍程であり、３０分間の活性化処理で発光量が顕著に増加し、６０分間の活性化処理で極大となり、以後は変わらない。よって、本実施の形態の活性化処理装置によれば、活性化処理に必要な時間は３０分間以上であり、１〜２時間で十分である。【００７８】
【表４】
2007148408.tif 000007
【００７９】
以上のように本実施の形態の活性化処理装置によれば、水及び容器にオゾンを接触させた状態で０．０１Ｈｚ〜１ＭＨｚの周波数、０．１ｍＧ〜１００Ｇの強度の交流磁界を印加する。よって、本実施の形態の活性化処理装置は、ＡＴＰ等の高エネルギー結合化合物の持つ化学的・生化学的活性や酸素（Ｏ）の化学的・生化学的・生物学的利用効率を高める機能等を水及び容器に同時に持たせることができる。【００８０】
また、本実施の形態の活性化処理装置によれば、外部磁気から遮蔽された２０℃〜６０℃の空間内に水及び容器を配置し、水及び容器に可視光を照射する。よって、本実施の形態の活性化処理装置は、ＡＴＰ等の高エネルギー結合化合物の持つ化学的・生化学的活性や酸素（Ｏ）の化学的・生化学的・生物学的利用効率を高める機能等を水及び容器に効率良く持たせることができる。【００８１】
また、本実施の形態の活性化処理装置によれば、水及び容器にオゾンを接触させた状態で交流磁界を印加するだけで、ＡＴＰ等の高エネルギー結合化合物の持つ化学的・生化学的活性や酸素（Ｏ）の化学的・生化学的・生物学的利用効率を高める機能等を水及び容器に持たせることができる。よって、本実施の形態の活性化処理装置は、ＡＴＰ等の高エネルギー結合化合物の持つ化学的・生化学的活性や酸素（Ｏ）の化学的・生化学的・生物学的利用効率を高める機能等を簡易な人工的方法で水及び容器に持たせることができる。その結果、ＡＴＰ等の高エネルギー結合化合物の持つ化学的・生化学的活性や酸素（Ｏ）の化学的・生化学的・生物学的利用効率を高める機能等を再現性良く水に持たせることができる。【００８２】
また、本実施の形態の活性化処理装置によれば、３０分以上の間、水及び容器を活性化処理する。よって、本実施の形態の活性化処理装置は、ＡＴＰ等の高エネルギー結合化合物の持つ化学的・生化学的活性や酸素（Ｏ）の化学的・生化学的・生物学的利用効率を高める機能等を十分に水及び容器に持たせることができる。【００８３】
以上、本発明に係る活性化処理装置について実施の形態に基づいて説明したが、本発明は、この実施の形態に限定されるものではなく、本発明の範囲を逸脱することなく種々の変形または修正が可能であることはいうまでもない。【００８４】
例えば、上記実施の形態では、容器内表面の活性化処理を行ったが、有機物あるいは無機物から構成されるシート状あるいは筒状（チューブ状）の固体表面の活性化処理を行ってもよく、同様の効果が得られる。すなわち、図９（ａ）に示されるように、板８０の表面８１を活性化処理してもよいし、図９（ｂ）に示されるように、筒体８２の内部表面８３を活性化処理してもよいし、図９（ｃ）（ｄ）に示されるように中空状の球体（ボール状体）８４の表面８５を活性化処理してもよい。これによって、ＡＴＰ等の高エネルギー結合化合物の持つ化学的・生化学的活性や酸素（Ｏ）の化学的・生化学的・生物学的利用効率を高める機能を持つ、生体に馴染む有機物から構成される平面シート、板等を実現することができる。また、ＡＴＰ等の高エネルギー結合化合物の持つ化学的・生化学的活性や酸素（Ｏ）の化学的・生化学的・生物学的利用効率を高める機能等を持つ、生体に馴染む有機物から構成される筒体を実現することができる。【００８５】
また、上記実施の形態では、水の活性化処理及び容器内表面の活性化処理を同時に行ったが、水の活性化処理のみ、あるいは容器内表面の活性化処理のみを行ってもよく、同様の効果が得られる。水の活性化処理のみを行う場合には、図２のステップＳ２８で示す工程を行うこと無く活性化処理が終了し、容器内表面の活性化処理のみを行う場合には、図２のステップＳ２７で示す工程を行うこと無くステップＳ２８で示す工程を行って活性化処理が終了する。【００８６】
また、上記実施の形態では、活性化処理される液体として水及びリン酸バッファー液（ＰＢＳ）を例示したが、これに限られず、活性化処理される液体は例えば水を溶媒とした溶液であってもよい。同様に表面が活性化処理される固体として容器を例示したが、これに限られない。【００８７】
また、上記実施の形態では、容器に入れられて活性化処理される物質として液体を例示したが、これに限られず、活性化処理される物質は蒸気例えば水蒸気（水分を含む空気又は噴霧状の水分子）であってもよい。蒸気を活性化処理する場合には、容器４０表面を覆う蒸気が容器４０外部に逃げないように、容器４０は蓋等を用いて密封容器とされる。【００８８】
なお、活性化とは固体表面の超親水化を含む。
【産業上の利用可能性】
【００８９】
本発明は、蒸気、液体又は固体表面の活性化処理方法及び活性化処理装置に利用でき、特に生化学的反応及び化学反応（特に、水溶液中での化学反応）の促進等、又は生命体、すなわち細胞、組織、臓器、動植物において生体エネルギーを要する生化学的、生物学的応答や機能ならびに水に溶けた酸素の利用能を促進する機能、また生命体すなわち細胞・組織・臓器・生体の機能を保存・回復・増強する活性、特に免疫力の活性化、組織再生、機能回復、動植物の成長促進、生け花、植物、動物や人の臓器・組織・細胞等の保存、及び創傷治癒を促進する活性等の各種機能を蒸気、液体又は固体に持たせることが可能な蒸気、液体又は固体表面の活性化処理方法及び活性化処理装置等に利用することができる。
【図１】
2007148408.tif 000008
【図２】
2007148408.tif 000009
【図３】
2007148408.tif 000010
【図４】
2007148408.tif 000011
【図５】
2007148408.tif 000012
【図６】
2007148408.tif 000013
【図７】
2007148408.tif 000014
【図８】
2007148408.tif 000015
【図９】
2007148408.tif 000016
【国際調査報告】
2007148408.tif 000017
2007148408.tif 000018